(57)【特許請求の範囲】
【請求項１】
下階の一部の部屋が天井高の高い高天井部屋4となっている建物において、
前記高天井部屋4の天井は、上階に設けられたスキップ床29の下面で構成されており、
前記高天井部屋4と平面的に隣接する上階の部屋18の床が、前記高天井部屋4の天井より低くなっており、
前記上階の部屋18を挟んで、前記高天井部屋4と対向する位置に上階の外壁から奥まってバルコニー17が設けられており、
前記高天井部屋4の天井と、前記上階の部屋18の床との間にある壁の少なくとも一部が、通風可能でかつ透光可能な通風透光壁20となっており、
前記上階の部屋18とバルコニー17との間の壁に設けられた窓19aが前記通風透光壁20と対向しており、
前記通風透光壁20は、開口部21aが設けられた壁本体21と、この壁本体の開口部21aにはめ込まれたガラス板22とを備え、ガラス板の左右の縁部と、開口部の両方の縁部との間に所定幅の隙間24，24が設けられていることを特徴とする建物。
【発明の詳細な説明】
【技術分野】
【０００１】
本発明は、下階の一部の部屋が天井高の高い高天井部屋となっている建物に関する。
【背景技術】
【０００２】
１階の一部の部屋が天井高の高い高天井部屋となっている建物の一例として特許文献１に記載のものが知られている。
この特許文献１に記載の建物は、建物内の２階部分の部屋に隣接して、階下の吹抜け部分が設けられ、その吹抜け部分の直上部には屋根が設けられ、吹抜け部分の屋根上面が前記部屋の天井面より低い位置に設けられ、部屋と吹抜け部分の境界部分の壁面で吹抜け部分の屋根上面より上方には開口部が設けられているものである。
このような建物によれば、部屋と吹抜け部分の境界部分で収納室の屋根面より上方の壁面部分に開口部が設けられることにより、部屋内の吹抜けを設けた壁面側であっても、開口部より採光を行うことができるとともに、部屋内の効率的な換気を行うことができる。
【特許文献１】特開２００７−９２４２９号公報
【発明の開示】
【発明が解決しようとする課題】
【０００３】
ところで、上記のような建物では、２階部屋と、１階の吹抜け部を有する部屋（天井高の高い高天井部屋）との間における通風や採光は全く考慮されていないので、例えば、高天井部屋の上部に滞留した空気を排気し難いという問題がある。特に夏季においては温度の高い空気は上部に滞留するので、この空気を排気したいという要望がある。
また、一般的に２階は１階より採光し易く、明るいので、この２階の光を１階に採り入れたいという要望もある。
【０００４】
本発明は上記事情に鑑みてなされたもので、下階の一部の部屋が天井高の高い高天井部屋となっている建物において、上階の部屋と、下階の高天井部屋との間において通風や採光を確保できる建物を提供することを課題としている。
【課題を解決するための手段】
【０００５】
上記課題を解決するために、本願発明は下階の一部の部屋が天井高の高い高天井部屋4となっている建物において、前記高天井部屋4の天井は、上階に設けられたスキップ床29の下面で構成されており、前記高天井部屋4と平面的に隣接する上階の部屋18の床が、前記高天井部屋4の天井より低くなっており、前記上階の部屋18を挟んで、前記高天井部屋4と対向する位置に上階の外壁から奥まってバルコニー17が設けられており、前記高天井部屋4の天井と、前記上階の部屋18の床との間にある壁の少なくとも一部が、通風可能でかつ透光可能な通風透光壁20となっており、前記上階の部屋18とバルコニー17との間の壁に設けられた窓19aが前記通風透光壁20と対向しており、前記通風透光壁20は、開口部21aが設けられた壁本体21と、この壁本体の開口部21aにはめ込まれたガラス板22とを備え、ガラス板の左右の縁部と、開口部の両方の縁部との間に所定幅の隙間24，24が設けられていることを特徴とする。
【発明の効果】
【００１５】
本発明によれば、高天井部屋と平面的に隣接する上階の部屋の床が、前記高天井部屋の天井より低くなっており、前記高天井部屋の天井と、前記上階の部屋の床との間にある壁が、通風可能でかつ透光可能な通風透光壁であるので、この通風透光壁を通して上階の部屋と、下階の高天井部屋との間において通風や採光を確保できる。
【発明を実施するための最良の形態】
【００１６】
以下図面を参照して本発明の実施の形態について説明する。
本実施の形態の建物は、２．５階建ての住宅であり、２階の上に、２階床より半階高いスキップ床が設けられてなるものである。
１階の間取りは以下のようになっている。すなわち、図５に示すように、建物の南側の中央部より若干東側には、玄関１が建物の南側の外壁から奥まって設けられており、この玄関１の北側にホール２が設けられている。ホール２の西側にはキッチン３が設けられており、このキッチン３の南側にダイニングルーム４がキッチン３と連続して設けられている。ダイニングルーム４の東側には、リビングルーム５がダイニングルーム４と連続して設けられている。
【００１７】
ダイニングルーム４は、天井高の高い高天井部屋４となっており、その上方には２階の床が設けられている。キッチン３とリビングルーム５の天井は、ダイニングルーム４の天井より低くなっており、これらキッチン３とリビングルーム５の上方には、中間階の床が設けられている。
リビングルーム５の東側の壁には、地窓６が設けられており、この地窓６は玄関ポーチ１ａに面している。
【００１８】
キッチン３の北側には、洗面室７と浴室８とが東西に隣接して設けられており、洗面室７には、ホール２から出入りできるようになっている。また、ホール２には階段９が１階の床と中間階の床との間に設けられており、階段９の北側にはエレベータ室１０が１階の床から中間階の床を抜け、さらに２階の床を抜けて２階の天井まで延びて設けられている。このエレベータ室１０にエレベータ１０ａが設けられており、該エレベータ１０ａは１階、中間階、２階のそれぞれで開閉するようになっている。
ホール３の北側には、土間１１が設けられており、この土間１１は１階の収納室１２に隣接している。
【００１９】
収納室１２は天井高が０．９〜１．４ｍ程度の低天井室であり、土間１１と収納室１２とを仕切る壁には、収納室１２用の出入口が形成されている。この出入口の高さも０．９〜１．４ｍ程度である。収納室１２の床の一部１２ａは土間１１の床と連続して面一となっているが、収納室の床の他部１２ｂは一段高くなっており、ホール２の床と面一となっている。
また、玄関１の東側には土間１３が収納室１２の南側に隣接して設けられている。この土間１３は例えば工房として使用されるもので、この土間１３と収納室１２とを仕切る壁には、収納室１２用の出入口が形成されている。この出入口の高さは０．９〜１．４ｍ程度である。また、土間１３には玄関１および玄関ポーチ１ａの双方から出入できるようになっている。
また、前記ホール２の東側には、階段１４が１階の床と中間階の床との間に設けられている。
さらに、収納室１２の北側には、階段１５が１階の床と中間階の床との間に設けられている。この階段１５が設けられる階段室は１階の内部とは壁によって仕切られており、外部から出入するようになっている。
【００２０】
２階の間取りは以下のようになっている。すなわち、図６に示すように、２階のほぼ中央部にホール１６が設けられており、このホール１６に前記階段９の下り口が設けられている。ホール１６の南側には、バルコニー１７と部屋（上階の部屋）１８とが東西に隣接して設けられている。バルコニー１７は２階の南側の外壁から奥まって設けられたものであり、その上方には屋根はなく開放されている。バルコニー１７と部屋１８とを仕切る壁には、バルコニー１７と部屋１８とを行き来可能とするサッシ窓１９ａが設けられており、このサッシ窓１９ａの上方には高窓１９ｂが設けられている（図３参照）。
また、部屋１８は天井高の高い高天井部屋となっており、この部屋１８の天井は２．５階にあるスキップ床２９上の天井とほぼ等しい高さとなっている。
さらに、バルコニー１７とホール１６とを仕切る壁には、バルコニー１７とホール１６とを行き来可能とするサッシ窓１９ｃが設けられており、このサッシ窓１９ｃの上方には高窓１９ｄが設けられている（図１参照）。なお、ホール１６も天井高の高い高天井部屋となっており、このホール１６の天井は２．５階にあるスキップ床２９上の天井とほぼ等しい高さとなっている。
前記部屋１８は１階の高天井部屋であるダイニングルーム４と平面的に隣接しており、図１に示すように、該部屋１８の床は、ダイニングルーム４の床より低くなっている。ダイニングルーム４の天井と、部屋１８の床との間にある壁は、通風透光壁２０となっている。
【００２１】
前記通風透光壁２０は以下のように構成されている。すなわち、図４に示すように、通風透光壁２０は、開口部２１ａが設けられた壁本体２１と、この壁本体２１の開口部２１ａにはめ込まれたガラス板２２と、同開口部２１にａにはめ込まれた面格子２３とによって構成されている。
開口部２１ａは長方形状に形成されており、この開口部２１ａの内周面のうち、内側（部屋１８側に、ガラス板２２がはめ込まれており、外側に面格子２３がはめ込まれている。ガラス板２２はその横寸法が開口部２１ａの横寸法より短く形成された透明なものであり、したがって、該ガラス板２２の左右側の縁部と、開口部２１ａの左右側の縁部との間には所定幅の隙間２４，２４が設けられている。面格子２３はその縦横の寸法が開口部２１ａの縦横の寸法とほぼ等しく形成されたものであり、したがって、面格子２３は開口部２１ａにピッタリとはめ込まれている。面格子２３は木製のものであり、ガラス板２２と所定間隔をあけてはめ込まれている。したがって、空気は前記隙間２４，２４、面格子２３とガラス板２２との間の隙間、面格子２３に形成されている多数の貫通部を通して、部屋１８とダイニングルーム４との間を流通できるようになっている。
また、前記通風透光壁２０は、前記サッシ窓１９ａは対向しており、これによって、サッシ窓１９ａから部屋１８に入り込む光を通風透光壁２０を通して１階のダイニングルーム４に導くことができる。
【００２２】
前記ホール１６の北側には部屋２７が設けられており、この部屋２７の西側には収納室２８が設けられている。この収納室２８は、２階の床上にスキップ床２９を設け、このスキップ床２９と２階の床との間に設けられたものであり、天井高が０．９〜１．４ｍ程度になっている。収納室２８と部屋２７とを仕切る壁には、出入口３０が設けられている。
また、ホール１６の西側には収納室３１が前記収納室２８の南側に隣接して設けられている。この収納室３１もスキップ床２９と２階の床との間に設けられたものであり、天井高が０．９〜１．４ｍ程度になっている。収納室３１とホール１６とを仕切る壁には、出入口３２が設けられている。また、前記収納室２８とホール１６とを仕切る壁には、出入口３３が設けられている。
【００２３】
また、前記バルコニー１７の東側には、部屋３３が設けられており、この部屋３３の北側には部屋３４が設けられている。部屋３３と部屋３４はそれより西側にある部屋等からある程度独立している。すなわち、部屋３４は部屋２７やホール１６とは壁３５によって完全に仕切られており、部屋３３はバルコニー１７に隣接している。そして部屋３３にはキッチンが設置されており、該部屋３３はＬＤＫとして使用される。部屋３３内には階段ホール３３ａが設けられており、この階段ホール３３ａと前記ホール１６と仕切る壁に出入口が設けられている。
また、前記部屋３４は１階の収納室１２上に設けられているので、部屋３３より半階ほど低くなっており、該部屋３４には前記階段１４の途中の踊り場１４ａに面している出入口３４ａから出入するようになっている。また、部屋３４には前記階段１５を通って出入できるようになっている。
【００２４】
２．５階の間取りは以下のようになっている。すなわち図７に示すように、建物内の西側には、主寝室として使用される部屋３７が設けられている。また、部屋３７の東側には洗面室３８が設けられている。これら部屋３７および洗面室３８は、１階のダイニングルーム４と２階の収納室３１と収納室２８の上にあるスキップ床２９上に設けられている。
部屋３７には２階のホール１６から階段４０を上って、その階段４０の下り口から出入りするようになっている。階段４０は２階の床とスキップ床２９との間に設けられている。
また、部屋３７と２階の部屋１８の上部とを仕切る壁には開口部が設けられており、この開口部にはガラス板４１がはめ込まれている。したがって、部屋３７から部屋１８を見ることができる。なお、ガラス板４１の内側（部屋３７側）には、面格子で構成された引戸が設けられている。
【００２５】
建物内の東側には、部屋４３と水回り系の部屋４４とが南北に隣接して設けられており、この水回り系の部屋４４には部屋４３から出入りするようになっている。水回り系の部屋４４は洗面室兼トイレと浴室とを備えている。部屋４３の南側には階段４５の下り口が設けられており、この下り口から部屋４３に出入りするようになっている。また、部屋４３と水回り系の部屋４４とは、前記部屋３４上に設けられており、部屋４４の床は前記部屋３７の床より若干低くなっている。
【００２６】
また、建物の屋根には複数の天窓が設けられている。すなわち、図２および図３に示すように、天窓４６ａ，４６ｂは２階のホール１６の上方に設けられており、２階のほぼ中央にあるホール１６への採光を確保するものである。天窓４６ｃは部屋３３への採光を確保するものである。天窓４６ｄは階段４５，１４への採光を確保するものである。
【００２７】
本実施の形態によれば、１階の高天井部屋であるダイニングルーム４の天井と、２階の部屋１８の床との間にある壁が、通風可能でかつ透光可能な通風透光壁２０であるので、この通風透光壁１８を通して２階の部屋１８と、１階のダイニングルーム４との間において通風や採光を確保できる。
特に夏季は高天井部屋であるダイニングルーム１４の上部に滞留する空気を、通風透光壁２０を通して、２階の部屋１８に排気できる。部屋１８へ排気された空気は該部屋１８に隣接しているバルコニー１７に排気できる。
【００２８】
また、通風透光壁２０が、開口部２１ａが設けられた壁本体２１と、この壁本体２１の開口部２１ａにはめ込まれたガラス板２２とを備え、ガラス板２２の縁部と、開口部２１ａの縁部との間に所定幅の隙間２４，２４が設けられているので、ガラス板２２によって採光を確保でき、隙間２４，２４によって通風を確保できる。
さらに、２階の部屋１８に隣接して、バルコニー１７が設けられており、このバルコニー１７と２階の部屋１８との間にあるサッシ窓１９ａが、通風透光壁２０と対向配置されているので、バルコニー１７からサッシ窓１９ａを通して２階の部屋１８に採光でき、この部屋１８から通風透光壁２０を通して下階のダイニングルーム４に採光できるので、建物の外側からダイニングルーム４に容易に採光できる。
また、１階のダイニングルーム４の上部に滞留した空気が通風透光壁２０を通して２階の部屋１８に抜け、さらに、サッシ窓１９ａから外部に抜けるので、１階のダイニングルーム４の上部に滞留した空気を建物の外部に容易に排気できる。
【００２９】
また、２階の部屋１８が天井高の高い高天井部屋となっており、この高天井部屋１８とバルコニー１７とを仕切る壁の上部に高窓１９ｂが設けられているので、建物の外側から高窓１９ｂを通して部屋１８へ採光できるので、採光量を多くできる。
また、１階のダイニングルーム４の上部から通風透光壁２０を通して２階の部屋１８に抜けた空気を高窓１９ｂを通して容易に排気できる。
さらに、２階の床上に、スキップ床２９が設けられており、このスキップ床２９と２階の床との間に天井高が０．９〜１．４ｍの収納空間２８，３１が設けられているので、収納空間２８，３１が２階の床から出入可能となり、使い勝手のよい収納空間となる。
【図面の簡単な説明】
【００３０】
【図１】本発明に係る建物の一例を示すもので、建物をその南側の壁面と平行でかつダイニングルームを通る面で切断した縦断面図である。
【図２】同、建物をその南側の壁面と平行でかつキッチンを通る面で切断した縦断面図である。
【図３】同、建物をその東側の壁面と平行でかつ玄関を通る面で切断した縦断面図である。
【図４】同、通風透光壁を示す正面図である。
【図５】同、建物の１階の平面図である。
【図６】同、建物の２階の平面図である。
【図７】同、建物の２．５階の平面図である。
【符号の説明】
【００３１】
４  ダイニングルーム（高天井部屋）
１７  バルコニー
１８  部屋（上階の部屋）
１９ａ  サッシ窓（窓）
１９ｂ  高窓
２０  通風透光壁
２１  壁本体
２１ａ  開口部
２２  ガラス板
２４  隙間
２８，３１  収納室
２９  スキップ床
【図１】
0005652900.tif 000002
【図２】
0005652900.tif 000003
【図３】
0005652900.tif 000004
【図４】
0005652900.tif 000005
【図５】
0005652900.tif 000006
【図６】
0005652900.tif 000007
【図７】
0005652900.tif 000008